(57)【要約】【目的】  スタンド時と壁掛け時の両方で良好な音質を得ることができ且つ壁掛け時の全体としての薄型化が図り易いフラット型ディスプレイを提供する。【構成】  フラット型ディスプレイ１は、ディスプレイ本体部２とスタンド部３とから成る。前記スタンド部３は立設部３１と設置水平板部３２とから成り、前記ディスプレイ本体部２が設置面に接触することを要しない独立支持型に構成されている。前記立設部３１は前記ディスプレイ本体部２の下縁中央位置に回動軸を介して回動自在に連結されている。また、前記立設部３１に回動軸を介して設置水平板部３２が回動自在に連結されている。ディスプレイ本体部２にはスピーカ２１・２１が設けられている。【選択図】        図９
2005173421.tif 000002
【特許請求の範囲】
【請求項１】
フラット型のディスプレイ本体部に対して可動に設けられて壁掛け時には前記ディスプレイ本体部の裏面側に位置できるスタンド部を備えたフラット型ディスプレイであって、前記スタンド部は前記ディスプレイ本体部が設置面に接触することを要しない独立支持型に構成され且つ前記ディスプレイ本体部に回動軸を介して連結された立設部と当該立設部に回動軸を介して連結された設置水平板部とから成ると共に、前記ディスプレイ本体部にスピーカが設けられていることを特徴とするフラット型ディスプレイ。
【請求項２】
請求項１に記載のフラット型ディスプレイにおいて、前記立設部の側方に位置するように前記スピーカが前記ディスプレイ本体部の下縁から垂下的に設けられていることを特徴とするフラット型ディスプレイ。
【請求項３】
フラット型のディスプレイ本体部に対して可動に設けられて壁掛け時には前記ディスプレイ本体部の裏面側に位置できるスタンド部を備えたフラット型ディスプレイであって、前記スタンド部は前記ディスプレイ本体部が設置面に接触することを要しない独立支持型に構成され且つ前記ディスプレイ本体部に回動軸を介して連結された立設部と当該立設部に回動軸を介して連結された設置水平板部とから成ると共に、前記立設部にスピーカが設けられていることを特徴とするフラット型ディスプレイ。
【請求項４】
請求項１乃至請求項３のいずれかに記載のフラット型ディスプレイにおいて、前記立設部に操作パネルが設けられていることを特徴とするフラット型ディスプレイ。
【発明の詳細な説明】
【技術分野】
【０００１】
この発明は、例えばテレビジョンとして用いられるフラット型ディスプレイに関する。
【背景技術】
【０００２】
フラット型ディスプレイは、壁掛けテレビ等として床上での設置スペースをとらない利点を有するが、このような壁掛け機能に加えて床上（台上）にも設置できるようにスタンドを備えたものが知られている（特許文献１参照）。更に、図２２及び図２３（ａ）（ｂ）（ｃ）に示しているように、ディスプレイ本体部１０１が設置面に接触することを要しない独立支持型のスタンド部１０２を回動可能に有し、壁掛け時には前記スタンド部１０２がディスプレイ本体部１０１の背面側に位置される構造のフラット型ディスプレイ１００も知られている。
【特許文献１】特開２００２−３２０２８号公報
【発明の開示】
【発明が解決しようとする課題】
【０００３】
しかしながら、上記従来のフラット型ディスプレイ１００では、図２２に示しているように、スタンド部１０２にスピーカ１０３が設けられており、スタンド時と壁掛け時とでスピーカ１０３の向きが異なってしまい、均質で良好な音質が得られにくいという不満がある。また、スピーカ１０３を備えて分厚くなったスタンド部１０２をディスプレイ本体部１０１の背面側に位置させても、壁との間に隙間が生じて薄型の利点が十分に発揮できないという欠点がある。
【０００４】
この発明は、上記の事情に鑑み、スタンド時と壁掛け時の両方で良好な音質を得ることができ且つ壁掛け時の全体としての薄型化が図り易いフラット型ディスプレイを提供することを目的とする。
【課題を解決するための手段】
【０００５】
この発明のフラット型ディスプレイは、上記の課題を解決するために、フラット型のディスプレイ本体部に対して可動に設けられて壁掛け時には前記ディスプレイ本体部の裏面側に位置できるスタンド部を備えたフラット型ディスプレイであって、前記スタンド部は前記ディスプレイ本体部が設置面に接触することを要しない独立支持型に構成され且つ前記ディスプレイ本体部に回動軸を介して連結された立設部と当該立設部に回動軸を介して連結された設置水平板部とから成ると共に、前記ディスプレイ本体部にスピーカが設けられていることを特徴とする。
【０００６】
上記の構成であれば、フラット型ディスプレイを壁掛け用の状態とする場合、前記二つの回動軸を有することで立設部をディスプレイ本体部の真下方向に回動させ且つ設置水平板部をディスプレイ本体部の背面に当接させるといった折り畳みが可能となり、当該設置水平板部はスピーカを備えないため薄型化でき、壁との間に隙間は生じにくいので、壁掛け時の全体としての薄型化が図り易い。更に、ディスプレイ本体部にスピーカが設けられているので、スタンド支持時と壁掛け時でスピーカの方向に変化は無く、その両方の状態において均質で良好な音質を得ることができる。
【０００７】
前記立設部の側方に位置するように前記スピーカが前記ディスプレイ本体部の下縁から垂下的に設けられていてもよい。これによれば、前記スピーカを例えばディスプレイ本体部のサイド側に設ける場合に比べて、視覚的な安定感が得られ易いという利点がある。
【０００８】
また、この発明のフラット型ディスプレイは、フラット型のディスプレイ本体部に対して可動に設けられて壁掛け時には前記ディスプレイ本体部の裏面側に位置できるスタンド部を備えたフラット型ディスプレイであって、前記スタンド部は前記ディスプレイ本体部が設置面に接触することを要しない独立支持型に構成され且つ前記ディスプレイ本体部に回動軸を介して連結された立設部と当該立設部に回動軸を介して連結された設置水平板部とから成ると共に、前記立設部にスピーカが設けられていることを特徴とする。
【０００９】
上記の構成であれば、前記二つの回動軸を備えることで、フラット型ディスプレイを壁掛け用の状態とする場合でも、立設部が大きく位置変化するのを回避でき、スピーカをスタンド部（立設部）に設けた構成でありながら、壁掛け時でもスピーカの向きに殆ど変化はなく、スタンド支持時と壁掛け時の両方の状態において均質で良好な音質を得ることができる。
【００１０】
これらのフラット型ディスプレイにおいて、前記立設部に操作パネルが設けられているのがよい。
【発明の効果】
【００１１】
この発明であれば、スタンド時と壁掛け時の両方で良好な音質を得ることができ且つ壁掛け時の全体としての薄型化が図り易いという効果を奏する。
【発明を実施するための最良の形態】
【００１２】
以下、この発明の実施形態を図１乃至図２０に基づいて説明する。図１乃至図１０はスタンド支持状態のフラット型ディスプレイ１を示した図であって、図１は平面図、図２は正面図、図３は左側面図、図４は底面図、図５は右側面図、図６は背面図、図７は図２のＡ−Ａ断面図、図８は図２のＢ−Ｂ断面図、図９は正面側斜視図、図１０は背面側斜視図である。また、図１１乃至図２０は壁掛け状態のフラット型ディスプレイ１を示した図であって、図１１は平面図、図１２は正面図、図１３は左側面図、図１４は底面図、図１５は右側面図、図１６は背面図、図１７は図１２のＡ−Ａ断面図、図１８は図１２のＢ−Ｂ断面図、図１９は正面側斜視図、図２０は背面側斜視図である。
【００１３】
フラット型ディスプレイ１は、ディスプレイ本体部２とスタンド部３とから成る。前記スタンド部３は、操作パネル部（ボタン、表示ＬＥＤ等から成る）を構成している立設部３１と設置水平板部３２とから成り、前記ディスプレイ本体部２が設置面に接触することを要しない独立支持型に構成されている。図７及び図１７に示しているように、前記立設部３１は前記ディスプレイ本体部２の下縁中央位置に回動軸３ａを介して回動自在に連結されているが、図７の状態からそれ以上の時計回り方向の回動が規制されるようになっている。また、前記立設部３１は略Ｌ字状を成し、そのＬ字下辺部が設置面に接触するようになっており、当該Ｌ字下辺部端部に回動軸３ｂを介して前記設置水平板部３２が回動自在に連結されている。前記設置水平板部３２の横幅や前記Ｌ字下辺部の奥行き及び設置水平板部３２の奥行きの加算寸法は、ディスプレイ本体部２を安定して支持できる値に設定されている。フラット型ディスプレイ１のスタンド支持状態では、概ね、ディスプレイ本体部２の画面と回動軸３ａと回動軸３ｂが鉛直方向に一直線に並び、ディスプレイ本体部２の重量中心が前記Ｌ字下辺部の奥行き及び設置水平板部３２の奥行きの加算寸法の中央にくるようにしている。
【００１４】
ディスプレイ本体部２にはスピーカ２１・２１が設けられている。スピーカ２１・２１は、前記立設部３１の側方に位置するように前記ディスプレイ本体部２の下縁から垂下的に設けられ、視覚的な安定感を高めている。また、ディスプレイ本体部２の背面には、把手部を兼ねる壁掛け用のフック部２２が設けられている。
【００１５】
フラット型ディスプレイ１を壁掛け用の状態とするには、図１７等に示しているように、回動軸３ａを中心に立設部３１を反時計回りに回動させることで、回動軸３ｂをディスプレイ本体部２の背面のライン下に位置させることができる。回動軸３ｂを中心に設置水平板部３２を反時計回りに回動させると、ディスプレイ本体部２の背面に設置水平板部３２を密着させることができる。
【００１６】
上記のごとく、フラット型ディスプレイ１を壁掛け用の状態とする場合、前記二つの回動軸３ａ・３ｂにてスタンド部３を構成している立設部及び設置水平板部３２を折り畳んでディスプレイ本体部２の下方にその略背面のラインに沿わせて位置させることができ、設置水平板部３２はスピーカを備えず薄型化できるので、壁との間の隙間は生じにくく、壁掛け時の全体としての薄型化が図り易い。更に、ディスプレイ本体部２にスピーカ２１が設けられているので、スタンド支持時と壁掛け時でスピーカ２１の方向に変化は無く、その両方の状態において均質で良好な音質を得ることができる。また、この実施形態では、前記立設部３１に操作パネルを設けているので、スタンド支持時と壁掛け時共に操作が行いやすいという利点がある。
【００１７】
図２１に変形例であるフラット型ディスプレイ１′を示す。上述したフラット型ディスプレイ１がそのディスプレイ本体部２にスピーカ２１を備えているのに対し、このフラット型ディスプレイ１′は、前記立設部３１の側面部にスピーカ３３・３３が設けられている点で相違している。先に示した図１７から分かるように、前記二つの回動軸３ａ・３ｂを備えることで、フラット型ディスプレイ１を壁掛け用の状態とする場合でも立設部３１が大きく位置変化することは回避されるようになっている。従って、スピーカ３３・３３を本体部２から切り離してスタンド部３側に設けた構成でありながら、壁掛け時でもスピーカ３３・３３の向きに殆ど変化はなく、スタンド支持時と壁掛け時の両方の状態において均質で良好な音質を得ることができる。
【図面の簡単な説明】
【００１８】
【図１】この発明の実施形態のフラット型ディスプレイ（スタンド支持状態）を示した平面図である。
【図２】この発明の実施形態のフラット型ディスプレイ（スタンド支持状態）を示した正面図である。
【図３】この発明の実施形態のフラット型ディスプレイ（スタンド支持状態）を示した左側面図である。
【図４】この発明の実施形態のフラット型ディスプレイ（スタンド支持状態）を示した底面図である。
【図５】この発明の実施形態のフラット型ディスプレイ（スタンド支持状態）を示した右側面図である。
【図６】この発明の実施形態のフラット型ディスプレイ（スタンド支持状態）を示した背面図である。
【図７】図２のＡ−Ａ矢視断面図である。
【図８】図２のＢ−Ｂ矢視断面図である。
【図９】この発明の実施形態のフラット型ディスプレイ（スタンド支持状態）を示した正面側斜視図である。
【図１０】この発明の実施形態のフラット型ディスプレイ（スタンド支持状態）を示した背面側斜視図である。
【図１１】この発明の実施形態のフラット型ディスプレイ（壁掛け状態）を示した平面図である。
【図１２】この発明の実施形態のフラット型ディスプレイ（壁掛け状態）を示した正面図である。
【図１３】この発明の実施形態のフラット型ディスプレイ（壁掛け状態）を示した左側面図である。
【図１４】この発明の実施形態のフラット型ディスプレイ（壁掛け状態）を示した底面図である。
【図１５】この発明の実施形態のフラット型ディスプレイ（壁掛け状態）を示した右側面図である。
【図１６】この発明の実施形態のフラット型ディスプレイ（壁掛け状態）を示した背面図である。
【図１７】図１２のＡ−Ａ矢視断面図である。
【図１８】図１２のＢ−Ｂ矢視断面図である。
【図１９】この発明の実施形態のフラット型ディスプレイ（壁掛け状態）を示した正面側斜視図である。
【図２０】この発明の実施形態のフラット型ディスプレイ（壁掛け状態）を示した背面側斜視図である。
【図２１】この発明の実施形態の変形例であるフラット型ディスプレイ（スタンド支持状態）を示した正面側斜視図である。
【図２２】従来のフラット型ディスプレイを示した斜視図である。
【図２３】同図（ａ）（ｂ）（ｃ）は図２２のフラット型ディスプレイのスタンド部の動作を示した斜視図である。
【符号の説明】
【００１９】
１  １′    フラット型ディスプレイ
２    ディスプレイ本体部
２１  スピーカ
３    スタンド部
３１  立設部
３２  設置水平板部
３３  スピーカ
【図１】
2005173421.tif 000003
【図２】
2005173421.tif 000004
【図３】
2005173421.tif 000005
【図４】
2005173421.tif 000006
【図５】
2005173421.tif 000007
【図６】
2005173421.tif 000008
【図７】
2005173421.tif 000009
【図８】
2005173421.tif 000010
【図９】
2005173421.tif 000011
【図１０】
2005173421.tif 000012
【図１１】
2005173421.tif 000013
【図１２】
2005173421.tif 000014
【図１３】
2005173421.tif 000015
【図１４】
2005173421.tif 000016
【図１５】
2005173421.tif 000017
【図１６】
2005173421.tif 000018
【図１７】
2005173421.tif 000019
【図１８】
2005173421.tif 000020
【図１９】
2005173421.tif 000021
【図２０】
2005173421.tif 000022
【図２１】
2005173421.tif 000023
【図２２】
2005173421.tif 000024
【図２３】
2005173421.tif 000025